【手続補正書】
【提出日】平成16年4月20日(2004.4.20)
【手続補正１】
【補正対象書類名】明細書
【補正対象項目名】特許請求の範囲
【補正方法】変更
【補正の内容】
【特許請求の範囲】
【請求項１】
印字すべき印字情報を入力する入力手段と、
印字テープと剥離テープとが積層されたテープ部材を搬送する搬送手段と、
前記印字テープの長手方向に前記印字情報を印字する印字手段と、
前記印字部材の印字テープのみを幅方向に切断してラベルを形成する切断手段と、
枚数を指定して複数枚のラベルの印字を指示する印字指示手段と、
前記印字情報の印字回数に応じて計数を行う計数手段と、
前記計数手段で計数される計数値のうちで印字に利用する計数値の間隔を設定する間隔設定手段と、
前記搬送手段、前記印字手段及び前記切断手段を制御する制御手段とを備え、
前記制御手段は、
前記印字指示手段によって複数枚のラベルの印字が指示されたときに、前記搬送手段及び前記印字手段を制御して前記テープ部材を搬送しつつ前記印字テープ上に前記印字情報を複数回印字するとともに、前記印字情報が前記間隔設定手段によって設定された計数値の間隔に対応する回数印字される毎に前記計数手段で計数される計数値を印字し、この印字動作に対応して前記切断手段を制御することにより前記印字情報及び前記計数値が印字される前記印字テープ上の各印字領域の境界で前記印字テープを切断することを特徴とする印字装置。
【請求項２】
印字すべき印字情報を入力する入力手段と、
印字テープと剥離テープとが積層されたテープ部材を搬送する搬送手段と、
前記印字テープの長手方向に前記印字情報を印字する印字手段と、
前記印字情報が印字された印字領域の境界で前記テープ部材の印字テープのみを幅方向に切断してラベルを形成する切断手段と、
枚数を指定して複数枚のラベルの印字を指示する印字指示手段と、
前記搬送手段、前記印字手段及び前記切断手段を制御して前記印字指示手段で指示された複数枚のラベルを作成する制御手段と、
前記印字手段の印字回数に応じて計数を行う計数手段と、
前記制御手段に印字動作の中止を指示する印字中止指示手段とを備え、
前記制御手段は、
前記印字指示手段の指示に基づく複数枚のラベルの印字途中で前記印字中止指示手段によって印字動作の中止の指示があったときに、前記搬送手段及び前記印字手段を制御して前記計数手段の計数値を印字してから印字動作を終了するとともに、前記切断手段を制御して前記印字情報が印字された印字領域と前記計数値が印字された印字領域の境界で前記印字テープを切断することを特徴とする印字装置。
【手続補正２】
【補正対象書類名】明細書
【補正対象項目名】０００７
【補正方法】変更
【補正の内容】
【０００７】
【課題を解決するための手段】
本発明の請求項１に係る印字装置は、印字すべき印字情報を入力する入力手段と、印字テープと剥離テープとが積層されたテープ部材を搬送する搬送手段と、前記印字テープの長手方向に前記印字情報を印字する印字手段と、前記印字部材の印字テープのみを幅方向に切断してラベルを形成する切断手段と、枚数を指定して複数枚のラベルの印字を指示する印字指示手段と、前記印字情報の印字回数に応じて計数を行う計数手段と、前記計数手段で計数される計数値のうちで印字に利用する計数値の間隔を設定する間隔設定手段と、前記搬送手段、前記印字手段及び前記切断手段を制御する制御手段とを備え、前記制御手段は、前記印字指示手段によって複数枚のラベルの印字が指示されたときに、前記搬送手段及び前記印字手段を制御して前記テープ部材を搬送しつつ前記印字テープ上に前記印字情報を複数回印字するとともに、前記印字情報が前記間隔設定手段によって設定された計数値の間隔に対応する回数印字される毎に前記計数手段で計数される計数値を印字し、この印字動作に対応して前記切断手段を制御することにより前記印字情報及び前記計数値が印字される前記印字テープ上の各印字領域の境界で前記印字テープを切断することを特徴とする。


【手続補正３】
【補正対象書類名】明細書
【補正対象項目名】０００８
【補正方法】変更
【補正の内容】
【０００８】
このような構成の印字装置によれば、枚数を指定して複数枚のラベルの印字が指示されると、印字テープ上に印字情報が複数回印字されるとともに、間隔設定手段の設定に応じた複数の印字情報の印字毎に、そのときの印字回数に対応した飛び数の計数値が付加情報として印字され、印字情報と付加情報の各印字領域の境界で剥離テープを残して印字テープが切断される。したがって、前記計数値の付加情報により印字テープ上に形成される複数枚のラベルを管理することが可能となり、切断手段によって印字テープのみが切断されて前記付加情報は前記印字情報の印字領域とは分離された印字領域に印字されるため、ラベルの印字領域を損なうことがない。そして、飛び数の計数値を付加情報として印字するものであるため、連続数の付加情報を各ラベルに対応付けて付加する場合に比べて、少ない付加情報によってラベルの枚数管理を行うことができ、テープ部材の消費をより少なくし印字処理をより簡単にすることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
また、本発明の請求項２に係る印字装置は、印字すべき印字情報を入力する入力手段と、印字テープと剥離テープとが積層されたテープ部材を搬送する搬送手段と、前記印字テープの長手方向に前記印字情報を印字する印字手段と、前記印字情報が印字された印字領域の境界で前記テープ部材の印字テープのみを幅方向に切断してラベルを形成する切断手段と、枚数を指定して複数枚のラベルの印字を指示する印字指示手段と、前記搬送手段、前記印字手段及び前記切断手段を制御して前記印字指示手段で指示された複数枚のラベルを作成する制御手段と、前記印字手段の印字回数に応じて計数を行う計数手段と、前記制御手段に印字動作の中止を指示する印字中止指示手段とを備え、前記制御手段は、前記印字指示手段の指示に基づく複数枚のラベルの印字途中で前記印字中止指示手段によって印字動作の中止の指示があったときに、前記搬送手段及び前記印字手段を制御して前記計数手段の計数値を印字してから印字動作を終了するとともに、前記切断手段を制御して前記印字情報が印字された印字領域と前記計数値が印字された印字領域の境界で前記印字テープを切断することを特徴とする。


【手続補正１１】
【補正対象書類名】明細書
【補正対象項目名】０１２８
【補正方法】変更
【補正の内容】
【０１２８】
【発明の効果】
以上詳記したように本発明によれば、枚数を指定して複数枚のラベルの印字が指示されると、印字テープ上に印字情報が複数回印字されるとともに、間隔設定手段の設定に応じた複数の印字情報の印字毎にそのときの印字回数に対応した飛び数の計数値が付加情報として印字され、切断手段によって印字情報と付加情報の各印字領域の境界で剥離テープを残して印字テープが切断されるため、前記飛び数の計数値の付加情報により印字テープ上に形成される複数枚のラベルを管理することが可能となる。また、切断手段によって印字テープのみが切断されて前記付加情報は前記印字情報の印字領域とは分離された印字領域に印字されるため、ラベルの印字領域を損なうことがない。そして、飛び数の計数値を付加情報として印字するものであるため、連続数の付加情報を各ラベルに対応付けて付加する場合に比べて、少ない付加情報によってラベルの枚数管理を行うことができ、テープ部材の消費をより少なくし印字処理をより簡単にすることができる。